(57)【要約】  ケーブル４と負荷５〜８とを有するケーブルシステムにおける問題を検出するための装置１は、ケーブル４に第１の信号を提供するための第１の回路１１と、第１の信号に対する応答である第２の信号のパラメータを測定するための第２の回路１２と、パラメータの値の変化に応じて問題を検出するための第３の回路１３とを含む。負荷５〜８は、各々が容量性挙動を示す、互いに並列な負荷を含む。問題は、ケーブルシステムのキャパシタンスの変化及びパラメータの値の変化をもたらす、ケーブル４の断絶を含む。装置１は、キャパシタンスを放電させるための第４の回路１４と、パラメータの値の変化から問題の位置を導出するための第５の回路１５と、ケーブルシステム情報及び／又はタイミング情報に応じて、少なくとも１つの他の回路１１〜１５に給電するための、及び／又は少なくとも１つの他の回路１１〜１５を作動させるための第６の回路１６とを更に含む。
2016506508.tif 000002
【特許請求の範囲】
【請求項１】
ケーブルと前記ケーブルに接続された負荷とを含む非作動状態のケーブルシステムにおける問題を検出するための装置であって、
前記ケーブルに第１の信号を提供するための第１の回路と、
前記第１の信号に対する応答である第２の信号のパラメータを測定するための第２の回路と、
前記第２の信号の前記パラメータの値の変化に応じて前記ケーブルシステムにおける前記問題を検出するための第３の回路と、
を含む、装置。
【請求項２】
前記負荷は、各々が前記非作動状態のケーブルシステムにおいて容量性挙動を示す、互いに別々の場所で前記ケーブルに電気的に接続された互いに並列な負荷を含む、請求項１に記載の装置。
【請求項３】
前記ケーブルシステムにおける前記問題は、前記第２の信号の前記パラメータの値の前記変化をもたらす前記装置における前記ケーブルシステムのキャパシタンスの変化をもたらす、前記ケーブルシステムの前記ケーブルの断絶を含む、請求項２に記載の装置。
【請求項４】
前記キャパシタンスを放電させるための第４の回路
を更に含む、請求項３に記載の装置。
【請求項５】
前記第２の信号の前記パラメータの値の前記変化から前記問題の位置を導出するための第５の回路
を更に含む、請求項１に記載の装置。
【請求項６】
前記第１の回路は第１の瞬間及び第２の瞬間に前記ケーブルに前記第１の信号を提供し、前記第２の回路は瞬間毎に前記第２の信号の前記パラメータを測定し、前記第３の回路は前記第２の信号のこのパラメータの値を互いに比較する、請求項１に記載の装置。
【請求項７】
前記第１の信号はＤＣ電流信号を含み、前記第２の信号は電圧信号を含む、請求項１に記載の装置。
【請求項８】
前記ＤＣ電流信号は一定振幅を有し、前記電圧信号はスロープを含む、請求項７に記載の装置。
【請求項９】
前記電圧信号の前記パラメータは前記スロープの角度を規定するか、又は前記電圧信号の振幅が所定値だけ変化するまでに必要とされる時間量を規定する、請求項８に記載の装置。
【請求項１０】
前記第１の回路は第１の瞬間及び第２の瞬間に前記ケーブルに前記ＤＣ電流信号を提供し、前記第２の回路は瞬間毎に前記電圧信号の前記パラメータを測定し、前記第３の回路は前記電圧信号のこのパラメータの値を互いに比較する、請求項９に記載の装置。
【請求項１１】
第６の回路を更に含み、前記第６の回路は、ケーブルシステム情報及び／又はタイミング情報に応じて、１以上の他の前記回路に給電し、及び／又は１以上の他の前記回路を作動させる、請求項１に記載の装置。
【請求項１２】
請求項１に記載の装置を含み、ステーション、ケーブル、及び／又は負荷を更に含む、システム。
【請求項１３】
ケーブルと前記ケーブルに接続された負荷とを含む非作動状態のケーブルシステムにおける問題を検出するための方法であって、
前記ケーブルに第１の信号を提供するステップと、
前記第１の信号に対する応答である第２の信号のパラメータを測定するステップと、
前記第２の信号の前記パラメータの値の変化に応じて前記ケーブルシステムにおける前記問題を検出するステップと、
を含む、方法。
【請求項１４】
コンピュータ上で動作するときに、請求項１３に記載の方法のステップを実行する、コンピュータプログラム。
【請求項１５】
請求項１４に記載のコンピュータプログラムを記憶し、含むための、媒体。
【発明の詳細な説明】
【技術分野】
【０００１】
本発明は、ケーブルと当該ケーブルに接続された負荷とを含む非作動状態のケーブルシステムにおける問題を検出するための装置に関する。更に、本発明は、装置を含むシステム、方法、コンピュータプログラム、及び媒体に関する。
【０００２】
非作動状態のケーブルシステムにおけるこうした問題の例は、ケーブルシステムの部品の盗難である。こうしたシステムの例は、ステーション、ケーブル、及び／又は負荷である。こうした負荷の例は、電力供給され／電気的に動力供給され／給電される必要のあるランプ及び他のユニットである。
【背景技術】
【０００３】
中国実用新案第２０１８６７９１０Ｕ号は、最初の街灯と最後の街灯との間のケーブルを監視するために、最初の街灯の近くにフロントエンド制御ボックスが設置され、最後の街灯の近くに信号制御ボックスが設置される、街灯ケーブル盗難防止システムを開示する。これらの２つの別々の場所にある２つのボックスは、比較的不利であると考えられる。
【０００４】
中国特許出願公開第１０１６３５０７７Ａ号は、ケーブルに可変周波数の入力電流信号が注入され、様々な周波数の入力電流信号に対して出力電流信号及び出力電圧信号が測定されなければならず、道路灯の共振周波数が考慮に入れられなければならず、実際の道路灯の数がわかっている必要のある、道路灯ケーブルのための盗難防止検出方法を開示する。このように、比較的複雑な態様において、ケーブルを監視するために２つの別々の場所にある２つのボックスはもはや必要とされない。
【発明の概要】
【発明が解決しようとする課題】
【０００５】
本発明の目的は、比較的単純な装置を提供することである。本発明の更なる目的は、比較的単純なシステムを提供し、比較的単純な方法、コンピュータプログラム、及び媒体を提供することである。
【課題を解決するための手段】
【０００６】
第１の態様によると、ケーブルと当該ケーブルに接続された負荷とを含む非作動状態のケーブルシステムにおける問題を検出するための装置であって、ケーブルに第１の信号を提供するための第１の回路と、第１の信号に対する応答である第２の信号のパラメータを測定するための第２の回路と、第２の信号のパラメータの値の変化に応じてケーブルシステムにおける問題を検出するための第３の回路とを含む装置が提供される。
【０００７】
非作動状態のケーブルシステムは、スイッチをオフにされ／シャットダウンされた、運転していないケーブルシステムである。こうした非作動状態のケーブルシステムにおいては、負荷に電力供給し／電気的に動力供給し／給電するためのいかなる信号も存在しない。例えば、街灯の形式の負荷に対し、十分な量の自然光がある日中には、これらの街灯はスイッチをオフにされ／シャットダウンされ、ケーブルシステムは運転していない。街灯は、ドライバ又は安定器によって駆動される、ＬＥＤランプ、ＨＰＳ（高圧ナトリウム）、蛍光灯、ＣＦＬ（コンパクト蛍光灯）、ＨＩＤ（高輝度放電）等のランプを含み、各々が非作動状態のケーブルシステムにおいて容量性挙動を示す。
【０００８】
第１の回路はケーブルに第１の信号を提供し、第２の回路は第１の信号に対する応答である第２の信号のパラメータを測定し、第３の回路は第２の信号のパラメータの値の変化に応じてケーブルシステムにおける問題を検出する。結果として、比較的複雑な中国特許出願公開第１０１６３５０７７Ａ号に比べて、比較的単純な、非作動状態のケーブルシステムにおける問題を検出するための装置が作成されている。
【０００９】
中国実用新案第２０１８６７９１０Ｕ号と比較すると、改善された装置は、ケーブルを監視するために、２つの別々の場所にある２つのボックスを必要としない。
【００１０】
中国特許出願公開第１０１６３５０７７Ａ号と比較すると、改善された装置は、可変周波数の入力電流信号を必要とせず、様々な周波数の入力電流信号に対して出力電流信号及び出力電圧信号を測定する必要はなく、道路灯の共振周波数を考慮に入れる必要はなく、実際の道路灯の数を知る必要はない。
【００１１】
第２の信号のパラメータの測定は、絶対測定／判定、又は相対測定／判定を含んでよい。
【００１２】
装置の実施形態は、各々が非作動状態のケーブルシステムにおいて容量性挙動を示す、互いに別々の場所でケーブルに電気的に接続された互いに並列な負荷を含む、負荷によって規定される。各々が容量性挙動を示す互いに並列な負荷を含むケーブルシステムにおいては、ケーブルシステムのキャパシタンスは、負荷キャパシタンスの和に相当するとみなされ得る。
【００１３】
装置の実施形態は、第２の信号のパラメータの値の変化をもたらす装置におけるケーブルシステムのキャパシタンスの変化をもたらす、ケーブルシステムのケーブルの断絶を含む、ケーブルシステムにおける問題によって規定される。ケーブルの断絶を含むケーブルシステムにおいて、装置と断絶との間に存在する負荷の負荷キャパシタンスは、装置におけるケーブルシステムのキャパシタンスに依然として寄与し、その他の負荷の負荷キャパシタンスは、装置におけるケーブルシステムのキャパシタンスに寄与しない。装置を介して検出され得る他の問題は、ケーブルと負荷のうちの１つとの間の接続の切断や、負荷のうちの１つの変化された容量性挙動をもたらすこの負荷の誤作動等である。
【００１４】
装置の実施形態は、キャパシタンスを放電させるための第４の回路を更に含むことによって規定される。好ましくは、ケーブルシステムのキャパシタンスは、第１の信号がケーブルに提供される前や第２の信号のパラメータが測定される前等に、第４の回路を介して、集中した１箇所で放電されるべきである。代替的に、ケーブルのキャパシタンスは、例えば負荷に並列に接続された抵抗器を介して、分散された箇所で放電されてもよいが、こうした抵抗器はケーブルシステムの電力消費を増大させる。
【００１５】
装置の実施形態は、第２の信号のパラメータの値の変化から問題の位置を導出するための第５の回路を更に含むことによって規定される。好ましくは、第２の信号のパラメータは、断絶等の問題の位置がパラメータの値の変化から導出され得るように選択される。
【００１６】
装置の実施形態は、第１の瞬間及び第２の瞬間にケーブルに第１の信号を提供する第１の回路と、瞬間毎に第２の信号のパラメータを測定する第２の回路と、第２の信号のこのパラメータの値を互いに比較する第３の回路とによって規定される。好ましくは、ケーブルシステムにおける問題を検出するために、また、装置がパラメータの正常値に関する知識を前もって備える必要のあることを回避するために、第２の信号のパラメータの値は互いに比較される。装置におけるケーブルシステムのキャパシタンスの変化が第２の信号のパラメータの値の変化をもたらす場合、第１の瞬間と第２の瞬間との間に、このキャパシタンスは十分に放電されるべきである。これは、例えば第４の回路を介して、若しくは負荷に並列に接続された抵抗器を介して、又は自然放電を通じて等といったように行われてよい。
【００１７】
本装置の実施形態は、ＤＣ電流信号を含む第１の信号と、電圧信号を含む第２の信号とによって規定される。これは、単純、低コスト、かつロバストな実施形態である。
【００１８】
本装置の実施形態は、一定振幅を有するＤＣ電流信号と、スロープを含む電圧信号とによって規定される。これは、単純、低コスト、かつロバストな実施形態である。
【００１９】
装置の実施形態は、スロープの角度を規定するか、又は電圧信号の振幅が所定値だけ変化するまでに必要とされる時間量を規定する、電圧信号のパラメータによって規定される。これは、単純、低コスト、かつロバストな実施形態である。
【００２０】
装置の実施形態は、第１の瞬間及び第２の瞬間にケーブルにＤＣ電流信号を提供する第１の回路と、瞬間毎に電圧信号のパラメータを測定する第２の回路と、電圧信号のこのパラメータの値を互いに比較する第３の回路とによって規定される。好ましくは、ケーブルシステムにおける問題を検出するために、また、装置がパラメータの正常値に関する知識を前もって備える必要のあることを回避するために、第２の信号のパラメータの値は互いに比較される。
【００２１】
装置の実施形態は、ケーブルシステム情報及び／又はタイミング情報に応じて、１以上の他の回路に給電するための、及び／又は１以上の他の回路を作動させるための第６の回路を更に含むことによって規定される。非作動状態のケーブルシステムにおいては、負荷に電力供給し／電気的に動力供給し／給電するためのいかなる信号も存在しない。したがって、第１、第２、第３、第４、及び第５の回路は、代替的な態様を介して給電される必要がある。更に、負荷に電力供給し／電気的に動力供給し／給電するための一方の信号と、他方の第１の信号及び第２の信号との間の衝突を回避するために、装置は、例えばケーブルシステム情報（ケーブルシステムが作動しているか、又は非作動状態か）を介して、及び／又はタイミング情報（時刻は何時か）を介して、情報提供される必要がある。このために、第６の回路は、こうした情報を受信するための受信器、及び／又はこうした情報を検出するための検出器を含んでもよい。
【００２２】
第２の態様によると、上述の装置を含み、ステーション、ケーブル、及び／又は負荷を更に含むシステムが提供される。
【００２３】
第３の態様によると、ケーブルと当該ケーブルに接続された負荷とを含む非作動状態のケーブルシステムにおける問題を検出するための方法であって、ケーブルに第１の信号を提供するステップと、第１の信号に対する応答である第２の信号のパラメータを測定するステップと、第２の信号のパラメータの値の変化に応じてケーブルシステムにおける問題を検出するステップとを含む方法が提供される。
【００２４】
第４の態様によると、コンピュータ上で動作するときに、上述の方法のステップを実行するコンピュータプログラムが提供される。
【００２５】
第５の態様によると、上述のコンピュータプログラムを記憶し、含むための媒体が提供される。
【００２６】
基本的な着想は、ケーブルと負荷とを含むケーブルシステムにおける問題を検出するためには、ケーブルに第１の信号を提供し、第１の信号に対する応答である第２の信号のパラメータを測定し、第２の信号のパラメータの値の変化に応じてケーブルシステムにおける問題を検出することで十分のはずであるということである。
【００２７】
改善された装置を提供するという課題が解決された。更なる利点は、改善された装置は単純、低コスト、かつロバストであることである。
【００２８】
本発明のこれらの態様及び他の態様は、以下に説明される実施形態から明らかとなり、これらの実施形態を参照して解明される。
【図面の簡単な説明】
【００２９】
【図１】ケーブルシステムと装置とを示す。
【図２】装置の実施形態を示す。
【図３】ケーブルシステムの分析を示す。
【図４】第１の波形を示す。
【図５】第２の波形を示す。
【図６】フローチャートを示す。
【発明を実施するための形態】
【００３０】
図１において、ケーブルシステムと装置１とが示される。ケーブルシステムは、ケーブル４と、ここでは街灯の形式の負荷５〜８とを含むが、他の種類の負荷は除外されるべきでない。ケーブル４は、ステーション３内の、搬送電圧を消費電圧へと変換するための変換器を含むボックス２に接続される。ボックス２は、十分な量の自然光がないときは負荷５〜８のスイッチをオンにし、十分な量の自然光があるときは負荷５〜８のスイッチをオフにするためのスイッチを更に含む。
【００３１】
代替的に、例えば消費電圧が既にステーション３に提供されている場合、ボックス２は変換器を含む必要はなく、主にスイッチを含んでもよい。
【００３２】
ステーション３は、非作動状態のケーブルシステムにおける問題を検出するための装置１を更に含み、代替的に、装置１はステーション３の外部に設置されてもよい。非作動状態のケーブルシステムにおいては、負荷５〜８はスイッチをオフにされている。
【００３３】
図２において、装置１の実施形態が示される。装置１は、ケーブル４に第１の信号を提供するための第１の回路１１と、第１の信号に対する応答である第２の信号のパラメータを測定するための第２の回路１２と、第２の信号のパラメータの値の変化に応じてケーブルシステムにおける問題を検出するための第３の回路１３とを含む。第１の回路１１及び第２の回路１２は、例えばケーブル４に接続されたインターフェース１７の一部を形成してよく、第３の回路１３は、例えばインターフェース１７に接続されたコントローラ１８の一部を形成してよい。代替的に、第１の回路１１、第２の回路１２、及び第３の回路１３は、より大きな構成要素の一部を形成しない個別のユニットであってもよい。更に代替的に、第１の回路１１、第２の回路１２、及び第３の回路１３は、何らかの種類のインターフェース機能を更に有するコントローラ１８の一部を形成してもよく、又は第１の回路１１、第２の回路１２、及び第３の回路１３は、何らかの種類のコントローラ機能を更に有するインターフェース１７の一部を形成してもよい。
【００３４】
ケーブル４は２つの導体を含み、代替的に、ケーブル４は１つの導体を含み、もう１つの導体は接地接続を通じて実現されてもよい。
【００３５】
図３において、ケーブルシステムの分析が示される。負荷５〜７は各々、キャパシタと、抵抗器及びインダクタを含む直列接続との並列接続によって表され、これにより、抵抗器は、近接の直列接続がここでは無視され得るような比較的高い値を有し得る。第１の回路１１は電流源２１を含み、ケーブル４は抵抗器２２によって表される。より少ない又はより多い負荷は明らかに除外されるべきではない。
【００３６】
好ましくは、負荷５〜８は、各々が非作動状態のケーブルシステムにおいて容量性挙動を示す、互いに別々の場所でケーブル４に電気的に接続された互いに並列な負荷を含む。ケーブルシステムにおける問題は、第２の信号のパラメータの値の変化をもたらす装置１におけるケーブルシステムのキャパシタンスの変化をもたらす、ケーブルシステムのケーブル４の断絶を含む。負荷５〜８がスイッチをオンにされた作動しているケーブルシステムの断絶は、直ちに見ることができる。したがって、こうした断絶は、主に負荷５〜８がスイッチをオフにされた非作動状態のケーブルシステムにおいて、検出される必要がある。
【００３７】
好ましくは、図２に示される装置１は、例えばケーブル４の導体を短絡することによってキャパシタンスを放電させるための、第４の回路１４を更に含む。第４の回路１４は、インターフェース１７若しくはコントローラ１８の一部を形成するか、又はより大きな構成要素の一部を形成しない個別のユニットであってもよい。
【００３８】
好ましくは、図２に示される装置１は、第２の信号のパラメータの値の変化から断絶等の問題の位置を導出するための第５の回路１５を更に含む。第５の回路１５は、コントローラ１８若しくはインターフェース１７の一部を形成するか、又はより大きな構成要素の一部を形成しない個別のユニットであってもよい。
【００３９】
好ましくは、第１の回路１１は第１の瞬間及び第２の瞬間にケーブル４に第１の信号を提供し、第２の回路１２は瞬間毎に第２の信号のパラメータを測定し、第３の回路１３は第２の信号のこのパラメータの値を互いに比較する。繰り返し第１の信号を提供し、第２の信号のパラメータを測定することによって、パラメータの値の突然の変化が、ケーブル４の突然の断絶のための指標となる。
【００４０】
単に一例として、第１の信号はＤＣ電流信号Ｉを含み、第２の信号は、図３を考慮すると、式Ｉ／Ｃ＝ΔＵ／Δｔに従ったＤＣ電流信号Ｉに対する応答であり、ここでＣは装置１におけるケーブルシステムのキャパシタンスであり、ｔは時間である、電圧信号Ｕを含む。好ましくは、ＤＣ電流信号は一定振幅を有し、電圧信号はスロープを含み、すなわち、電圧信号は時間に関連する信号であり、電圧の波形はスロープである。電圧信号のパラメータはスロープの角度を規定するか、又は電圧信号の振幅が所定値だけ変化するまでに必要とされる時間量を規定する。また、この場合、第１の回路１１はケーブルにＤＣ電流信号を繰り返し提供し、第２の回路１２は電圧信号のパラメータを繰り返し測定し、第３の回路１３は電圧信号のこのパラメータの値を互いに比較してもよい。繰り返し提供し、測定するときは、２つの提供／測定の間に、ケーブルシステムのキャパシタンスは十分に放電されなければならない。これは、例えば第４の回路１４を介して、若しくは負荷５〜８に並列に接続された抵抗器を介して、又は自然放電を通じて等といったように行われてよい。
【００４１】
好ましくは、図２に示される装置１は、ケーブルシステム情報及び／又はタイミング情報に応じて、１以上の他の回路１１〜１５に給電するための、及び／又は１以上の他の回路１１〜１５を作動させるための第６の回路１６を更に含む。装置１は、ケーブルシステム情報を介して、ケーブルシステムが作動しているか、又は非作動状態かに関して情報提供され得る。装置１は、タイミング情報を介して、時間に関して情報提供され得る。第６の回路１６は、供給電力及び／又は情報を受け取るために、図１及び図２には示されていない結合を介して、更にボックス２に結合されてもよい。
【００４２】
図４において、第１の波形が示される。ＤＣ電流信号の形式の第１の信号に対して、第２の信号は電圧信号Ｂ及びＣの形式である。ＤＣ電流信号がケーブルシステム内に注入される度に、装置１におけるケーブルシステムのキャパシタンスが注入の前に十分に放電されている条件の下で、電圧信号Ｂはゼロから上限（この限界はここでは図４に示される振幅値Ａと等しい）が達せられるまで上昇し始める。これは時間量ＴＢがかかる。突然に電圧信号Ｃが通常よりも速く上昇しているときは、時間量ＴＣ＜ＴＢがかかり、装置１におけるケーブルシステムのキャパシタンスの量が低減されたことは明らかである。これはケーブル４の断絶がなされたことの指標となり、ケーブル盗難のアラームが生成され得る。
【００４３】
ここでは電圧信号のパラメータは、電圧信号の振幅が所定値（この場合には振幅値Ａ）だけ変化するまでに必要とされる時間量を規定する。代替的に、電圧信号のパラメータは、電圧信号のスロープの角度を規定してもよい。両方の場合において、時間量又はスロープの相対変化は、キャパシタンスの相対変化に比例する。例えば、時間量が１０％減少される場合、約１０％のキャパシタンスが欠損し、これは最後の１０％の負荷が切断されていることに対応する。このように、断絶の位置の推定がなされ得る。例えば、街灯の形式の負荷に対して、１０％のキャパシタンスが低減される場合、１０％のランプがシステムから外れ、つまり、１０％のケーブルがシステムから外れていることを意味する。
【００４４】
図５において、第２の波形が示される。ＤＣ電流信号の形式の第１の信号に対して、第２の信号は電圧信号Ｅ及びＦの形式である。ＤＣ電流信号がケーブルシステム内に注入される度に、装置１におけるケーブルシステムのキャパシタンスが注入の前に十分に放電されている条件の下で、電圧信号Ｅはゼロから上限が達せられるまで上昇し始める。この上限の例えば１０％から例えば９０％まで（このときこの限界のうちの８０％が図５に示される振幅値Ｄに等しい）進むために、時間量ＴＥがかかる。突然に電圧信号Ｆが通常よりも速く上昇しているときは、時間量ＴＦ＜ＴＥがかかり、装置１におけるケーブルシステムのキャパシタンスの量が低減されたことは明らかである。これはケーブル４の断絶がなされたことの指標となり、ケーブル盗難のアラームが生成され得る。前述と同様に、断絶の位置の推定がなされ得る。
【００４５】
図６において、フローチャートが示され、以下のブロックは以下の意味を有する。
ブロック３１：第１の信号がケーブル４と負荷５〜８とを含む非作動状態のケーブルシステムのケーブル４に提供され、負荷５〜８は、各々が非作動状態のケーブルシステムにおいて容量性挙動を示す、互いに別々の場所でケーブル４に電気的に接続された互いに並列な負荷を含み、ケーブルシステムにおける問題は、ケーブルシステムのキャパシタンスの変化をもたらす、ケーブルシステムのケーブル４の断絶を含む。
ブロック３２：第１の信号に対する応答である第２の信号のパラメータが測定され、ケーブルシステムのキャパシタンスの変化が、第２の信号のパラメータの値の変化をもたらす。
ブロック３３：キャパシタンスが放電される。
ブロック３４：第１の信号が、非作動状態のケーブルシステムのケーブル４に再び提供される。
ブロック３５：次いで第２の信号のパラメータが再び測定される。
ブロック３６：第２の信号のパラメータの最後の２つの測定値を比較し、これら２つの測定値が比較的等しい場合（はい）にはブロック３３へ進み、比較的等しくない場合（いいえ）にはブロック３７へ進む。
ブロック３７：第２の信号のパラメータの値の変化に応じてケーブルシステムにおける問題を検出し、更に問題の位置が導出され、又はされなくてもよく、また、アラームが生成され、又はされなくてもよい。
【００４６】
図６に示されるフローチャートは単に一例にすぎない。互いに並列な負荷５〜８は各々、非作動状態のケーブルシステムにおいて、容量性挙動以外の別の種類の挙動を示してもよい。キャパシタンスの放電は、例えば負荷５〜８に並列に接続された抵抗器を介して、又は自然放電を通じて等といった、他のやり方で実現されてもよい。また、ブロック３１の上かつ前に、キャパシタンスが完全に放電されることが確実であるように、第１の信号がブロック３１において提供される等の前に別の放電が実行されてもよい。
【００４７】
他の種類の第１の信号及び第２の信号は除外されるべきではない。例えば、各々が誘導性挙動を示す互いに並列な負荷に対して、第１の信号は電圧信号Ｕであり、第２の信号は、式Ｕ／Ｌ＝ΔＩ／Δｔに従い、ここでＬは装置１におけるケーブルシステムのインダクタンスであり、ｔは時間である、電流信号Ｉであってもよい。この場合には、１以上の負荷が切断されるとき、ケーブルシステムのインダクタンスは増大する等である。
【００４８】
回路１１〜１６は、少なくとも部分的に１以上のプロセッサを介して実現され、少なくとも部分的にハードウェア若しくはソフトウェア又は両方の混合等を介して実現されてよい。
【００４９】
要約すると、ケーブル４と負荷５〜８とを有するケーブルシステムにおける問題を検出するための装置１は、ケーブル４に第１の信号を提供するための第１の回路１１と、第１の信号に対する応答である第２の信号のパラメータを測定するための第２の回路１２と、パラメータの値の変化に応じて問題を検出するための第３の回路１３とを含む。負荷５〜８は、各々が容量性挙動を示す、互いに並列な負荷を含む。問題は、ケーブルシステムのキャパシタンスの変化及びパラメータの値の変化をもたらす、ケーブル４の断絶を含む。装置１は、キャパシタンスを放電させるための第４の回路１４と、パラメータの値の変化から問題の位置を導出するための第５の回路１５と、ケーブルシステム情報及び／又はタイミング情報に応じて、少なくとも１つの他の回路１１〜１５に給電するための、及び／又は少なくとも１つの他の回路１１〜１５を作動させるための第６の回路１６とを更に含む。
【００５０】
本発明は、図面及び前述の説明において詳細に例示され説明されたが、こうした例示及び説明は、例示的又は典型的であると考えられるべきであり、限定と考えられるべきではなく、本発明は、開示された実施形態に限定されない。当業者によって、特許請求された発明を実施するにあたり、図面、明細書、及び添付の請求項の研究から、開示された実施形態の他のバリエーションが理解され達成されることができる。請求項で、「含む」の文言は他の要素又はステップを除外するものではなく、不定冠詞「ａ」又は「ａｎ」は複数を除外するものではない。特定の手段が、相互に異なる従属請求項に記載されているという単なる事実は、これらの手段の組み合わせを有利に使用できないことを意味するわけではない。請求項のいかなる参照符号も、範囲を限定するものとして解釈されるべきではない。
【図１】
2016506508.tif 000003
【図２】
2016506508.tif 000004
【図３】
2016506508.tif 000005
【図４】
2016506508.tif 000006
【図５】
2016506508.tif 000007
【図６】
2016506508.tif 000008
【国際調査報告】
2016506508.tif 000009
2016506508.tif 000010
2016506508.tif 000011
2016506508.tif 000012